(57)【要約】      （修正有）【課題】第１ＲＦ信号経路がアクティブの場合に第１ＲＦ信号経路との結合に起因する当該第２ＲＦ信号経路における共振を防止する。【解決手段】装置が第１無線周波数（ＲＦ）信号経路及び第２ＲＦ信号経路を含む。第１ＲＦ信号経路はアクティブの場合に第１ＲＦ信号を与えることができ、第２ＲＦ信号経路はアクティブの場合に第２ＲＦ信号を与えることができる。第２ＲＦ信号経路は、第１ＲＦ信号経路がアクティブの場合に第１ＲＦ信号経路との結合に起因する当該第２ＲＦ信号経路における共振を防止するべく構成された負荷インピーダンスを有する整合ネットワークを含む。【選択図】図２Ｃ
2016063539.tif 000002
【特許請求の範囲】
【請求項１】
装置であって、
アクティブの場合に第１ＲＦ信号を与えるべく構成された第１無線周波数（ＲＦ）信号経路と、
アクティブの場合に第２ＲＦ信号を与えるべく構成された第２ＲＦ信号経路と
を含み、
前記第２ＲＦ信号経路は、前記第１ＲＦ信号経路がアクティブの場合に前記第１ＲＦ信号経路との結合に起因する前記第２ＲＦ信号経路における共振を防止するべく構成された負荷インピーダンスを有する整合ネットワークを含む装置。
【請求項２】
前記整合ネットワークの負荷インピーダンスは、前記第２ＲＦ信号経路が非アクティブかつ前記第１ＲＦ信号経路がアクティブの場合に前記第１ＲＦ信号経路との結合に起因する前記第２ＲＦ信号経路における共振を防止するべく構成される請求項１の装置。
【請求項３】
前記第１ＲＦ信号経路は、前記第１ＲＦ信号を与えるべく構成された第１電力増幅器を含み、
前記第２ＲＦ信号経路は、前記第２ＲＦ信号を与えるべく構成された第２電力増幅器を含む請求項１の装置。
【請求項４】
前記共振は定在波共振である請求項１の装置。
【請求項５】
前記第２ＲＦ信号経路は選択スイッチを含み、
前記選択スイッチは、前記第２ＲＦ信号を前記選択スイッチの出力へと選択的に与えるべく構成される請求項１の装置。
【請求項６】
前記選択スイッチはマルチスロースイッチである請求項５の装置。
【請求項７】
前記マルチスロースイッチの各スローは、スイッチアームと、対応スイッチアームに電気的に結合されたシャントアームとを含み、
前記選択スイッチは、前記ＲＦ経路の第２経路が非アクティブかつ前記第１ＲＦ信号経路がアクティブの場合、選択されたスイッチアームをオンにし、かつ、選択されたシャントアームをオンにするべく構成され、
前記選択されたスイッチアーム及び前記選択されたシャントアームは前記負荷インピーダンスに寄与する請求項６の装置。
【請求項８】
前記負荷インピーダンスは、選択スイッチの入力及び接地間において直列の入力シャントアーム及びパッシブインピーダンス素子を含む請求項５の装置。
【請求項９】
前記パッシブインピーダンス素子は抵抗器である請求項８の装置。
【請求項１０】
前記負荷インピーダンスは、第１端及び第２端を有するシャントキャパシタを含み、
前記第１端は前記選択スイッチの入力に電気的に結合され、
前記第２端は接地電位に電気的に結合される請求項５の装置。
【請求項１１】
前記第１ＲＦ信号と前記第２ＲＦ信号とは周波数帯域が異なる請求項１の装置。
【請求項１２】
装置であって、
第１ＲＦ信号を与えるべく構成された第１電力増幅器と、第１整合ネットワークと、前記第１整合ネットワークを介して前記第１ＲＦ信号を受信するべく構成された第１マルチスロースイッチとを含む第１送信経路と、
前記第１ＲＦ信号とは異なる周波数帯域内にある第２ＲＦ信号を与えるべく構成された第２電力増幅器と、第２整合ネットワークと、前記第２整合ネットワークを介して前記第２ＲＦ信号を受信するべく構成された第２マルチスロースイッチとを含む第２送信経路と
を含み、
前記第２マルチスロースイッチは、前記第１送信経路がアクティブの場合に前記第１送信経路との結合に起因する第２送信経路における共振を防止するべく構成された入力インピーダンスを有する装置。
【請求項１３】
前記第２マルチスロースイッチの入力インピーダンスは、入力シャントアームと直列のパッシブインピーダンス素子を含む請求項１２の装置。
【請求項１４】
前記パッシブインピーダンス素子は抵抗器を含む請求項１３の装置。
【請求項１５】
前記第２マルチスロースイッチの入力インピーダンスはシャントキャパシタを含む請求項１２の装置。
【請求項１６】
前記第２マルチスロースイッチは、前記第２マルチスロースイッチが非アクティブ状態の場合、選択されたスローに対応するスイッチアーム及びシャントアームの双方をオンにすることにより、前記入力インピーダンスの少なくとも一部を実装するべく構成される請求項１２の装置。
【請求項１７】
装置であって、
無線周波数（ＲＦ）信号を増幅するべく構成された増幅器と、
前記増幅器の出力に結合された整合ネットワークと、
前記整合ネットワークを介して前記増幅器と通信する選択スイッチと
を含み、
前記選択スイッチはアクティブ状態において、選択された出力経路に前記選択スイッチの入力を電気的に結合するべく構成され、
前記選択スイッチは、前記選択スイッチが非アクティブ状態かつ前記増幅器がアクティブ解除の場合に他のＲＦ信号経路への結合に起因する前記整合ネットワークにおける共振が進展することを防止するべく、非アクティブ状態において入力インピーダンスを有する装置。
【請求項１８】
前記選択スイッチは、各スローに対応するシャントアーム及びスイッチアームを有するマルチスロースイッチであり、
前記選択スイッチは、前記選択スイッチが非アクティブ状態の場合、選択されたスローに対応するスイッチアーム及びシャントアームの双方がオンとなるように構成される請求項１７の装置。
【請求項１９】
前記選択スイッチを非アクティブ状態に設定するべく前記選択スイッチに制御信号を与えるように構成されたスイッチ制御回路をさらに含む請求項１８の装置。
【請求項２０】
前記選択スイッチは、前記選択スイッチの入力に入力シャントアームを含み、
前記入力シャントアームは、前記選択スイッチが非アクティブ状態の場合にオンとなるべく構成される請求項１７の装置。
【請求項２１】
パッシブインピーダンス素子が、前記選択スイッチの入力及び接地電位間において前記入力シャントアームと直列である請求項２０の装置。
【請求項２２】
シャントキャパシタが第１端及び第２端を有し、
前記第１端は前記選択スイッチの入力に結合され、
前記第２端は接地電位に結合される請求項１７の装置。
【請求項２３】
前記整合ネットワークはキャパシタ及びインダクタを含む請求項１７の装置。
【請求項２４】
装置であって、
第１ＲＦ信号を与えるべく構成された第１電力増幅器と、第１整合ネットワークと、前記第１整合ネットワークを介して前記第１ＲＦ信号を受信するべく構成された第１マルチスロースイッチとを含む第１送信経路と、
前記第１ＲＦ信号とは異なる周波数帯域内にある第２ＲＦ信号を与えるべく構成された第２電力増幅器と、第２整合ネットワークと、前記第２整合ネットワークを介して前記第２ＲＦ信号を受信するべく構成された第２マルチスロースイッチとを含む第２送信経路と
を含み、
前記第２マルチスロースイッチは、前記マルチスロースイッチの入力及び接地電位間において入力シャントアームと直列のパッシブインピーダンス素子を有する装置。
【発明の詳細な説明】
【技術分野】
【０００１】
本開示は電子システムに関し、詳しくは無線周波数（ＲＦ）回路に関する。
【０００２】
関連出願の相互参照
本願は、「バンドローディングを低減するマルチバンドデバイス」との名称で２０１４年９月１６日に出願された米国仮特許出願第６２／０５１，１９１号の、米国特許法第１１９（ｅ）条のもとでの優先権の利益を主張する。その開示は全体がここに参照として組み入れられる。
【背景技術】
【０００３】
多数の携帯デバイスが、ＬＴＥ（Ｌｏｎｇ  Ｔｅｒｍ  Ｅｖｏｌｕｔｉｏｎ）規格によって画定された周波数帯域のような多重周波数帯域内の通信をサポートしている。一つの周波数帯域に関連付けられた無線周波数（ＲＦ）信号経路をアクティブにすることができる一方、他の周波数帯域に関連付けられた他のＲＦ信号経路を非アクティブにすることができる。例えば、各信号経路は、異なる周波数帯域内のＲＦ信号を与える電力増幅器、それに関連付けられた整合ネットワーク及びそれに関連付けられた選択スイッチを含み得る。この例において、第１ＲＦ信号経路の電力増幅器はアクティブになると、比較的高出力のＲＦ信号を、整合ネットワークを介して選択スイッチへと与えることができる。携帯デバイス用のコンポーネントは小型化されているので、異なるＲＦ信号経路からの信号を分離することが困難となり得る。一の信号経路から他の信号経路への結合が、アクティブＲＦ信号経路における挿入損失をもたらし得る。
【発明の概要】
【０００４】
各請求項に記載の新機軸は、いくつかの側面を有するが、当該側面の一つのみがその所望の属性に対して責任を負うわけではない。請求項の範囲を制限することなしに、本開示のいくつかの顕著な特徴を以下に簡単に述べる。
【０００５】
本開示の一側面は、第１無線周波数（ＲＦ）信号経路及び第２ＲＦ信号経路を含む装置である。ＲＦ信号経路は、アクティブの場合に第１ＲＦ信号を与えるべく構成される。第２ＲＦ信号経路は、アクティブの場合に第２ＲＦ信号を与えるべく構成される。第２ＲＦ信号経路は、第１ＲＦ信号経路がアクティブの場合に当該第１ＲＦ信号経路との結合に起因する当該第２ＲＦ信号経路における共振を防止するべく構成された負荷インピーダンスを有する整合ネットワークを含む。
【０００６】
整合ネットワークの負荷インピーダンスは、第２ＲＦ信号経路が非アクティブかつ第１ＲＦ信号経路がアクティブの場合、当該第１ＲＦ信号経路との結合に起因する当該第２ＲＦ信号経路における共振を防止することができる。この共振は、整合ネットワークのＬＣ共振であり得る。第１ＲＦ信号及び第２ＲＦ信号は異なる周波数帯域であり得る。
【０００７】
第１ＲＦ信号経路は第１ＲＦ信号を与えるべく構成された第１電力増幅器を含み、第２ＲＦ信号経路は第２ＲＦ信号を与えるべく構成された第２電力増幅器を含み得る。
【０００８】
第２ＲＦ信号経路は、当該第２ＲＦ信号経路の出力へと第２ＲＦ信号を選択的に与えるべく構成された選択スイッチを含み得る。選択スイッチはマルチスロースイッチであり得る。かかるマルチスロースイッチの各スローは、スイッチアームと、対応スイッチアームに電気的に結合されたシャントアームとを含み得る。一実施形態において、選択スイッチは、第２ＲＦ信号が非アクティブかつ第１ＲＦ信号経路がアクティブの場合、選択されたスイッチアームをオンにしかつ選択されたシャントアームをオンにする。オンである当該選択されたスイッチアーム及び選択されたシャントアームによるインピーダンスが負荷インピーダンスに寄与し得る。一実施形態において、負荷インピーダンスは、入力シャントアームと、選択スイッチの入力及び接地間において直列のパッシブインピーダンス素子とを含み得る。パッシブインピーダンス素子は、例えば抵抗器である。一実施形態によれば、負荷インピーダンスは、第１端及び第２端を有するシャントキャパシタを含み得る。第１端は選択スイッチの入力に電気的に結合され、第２端は接地電位に電気的に結合される。
【０００９】
本開示の他側面は、第１送信経路及び第２送信経路を含む装置である。第１送信経路は、第１ＲＦ信号を与えるべく構成された第１電力増幅器と、第１整合ネットワークと、当該第１整合ネットワークを介して当該第１ＲＦ信号を受信するべく構成された第１マルチスロースイッチとを含む。第２送信経路は、第１ＲＦ信号とは異なる周波数帯域内の第２ＲＦ信号を与えるべく構成された第２電力増幅器と、第２整合ネットワークと、当該第２整合ネットワークを介して当該第２ＲＦ信号を受信するべく構成された第２マルチスロースイッチとを含む。第２マルチスロースイッチは、第１送信経路がアクティブの場合に第１送信経路との結合に起因する第２送信経路における共振を防止するべく構成された入力インピーダンスを有する。
【００１０】
第２マルチスロースイッチの入力インピーダンスは、入力シャントアームに直列のパッシブインピーダンス素子を含み得る。パッシブインピーダンス素子は抵抗器を含み得る。
【００１１】
第２マルチスロースイッチの入力インピーダンスはシャントキャパシタを含み得る。
【００１２】
第２マルチスロースイッチは、当該第２マルチスロースイッチが非アクティブ状態の場合、選択されたスローに対応するスイッチアーム及びシャントアームの双方をオンとすることにより、入力インピーダンスの少なくとも一部を実装することができる。
【００１３】
本開示の他側面は、無線周波数（ＲＦ）信号を増幅するべく構成された増幅器と、当該増幅器の出力に結合された整合ネットワークと、当該整合ネットワークを介して当該増幅器と通信する選択スイッチとを含む装置である。選択スイッチは、当該選択スイッチの入力を、アクティブ状態にある選択された出力経路に電気的に結合するべく構成される。選択スイッチは、他のＲＦ信号経路への結合に起因する整合ネットワークにおける共振が、当該選択スイッチが非アクティブ状態かつ増幅器がアクティブ解除にされた場合に進展することを防止するべく、非アクティブ状態における入力インピーダンスを有する。
【００１４】
整合ネットワークはキャパシタ及びインダクタを含み得る。選択スイッチは、各スローに対応するシャントアーム及びスイッチアームを有するマルチスロースイッチであり得る。マルチスロースイッチの各スローは異なる周波数帯域に関連付けられる。選択スイッチは、選択されたスローに対応するスイッチアーム及びシャントアームの双方を、当該選択スイッチが非アクティブ状態の場合にオンとすることができる。スイッチ制御回路は、選択スイッチを非アクティブ状態に設定するべく当該選択スイッチに制御信号を与えることができる。
【００１５】
選択スイッチは、当該選択スイッチの入力に入力シャントアームを含み得る。入力シャントアームは、選択スイッチが非アクティブ状態にある場合にオンとなるべく構成される。パッシブインピーダンス素子は、選択スイッチの入力及び接地電位間において入力シャントアームと直列となり得る。
【００１６】
装置は、第１端及び第２端を有するシャントキャパシタを含み得る。第１端は選択スイッチの入力に結合され、第２端は接地電位に結合される。
【００１７】
増幅器は電力増幅器であり得る。装置は電力増幅器モジュールとして構成することができる。電力増幅器モジュールは、第１画定周波数帯域のＲＦ信号を与えるべく構成された第１経路と、第２画定周波数帯域のＲＦ信号を与えるべく構成された第２経路とを含む。第１経路は、電力増幅器、整合ネットワーク及び選択スイッチを含む。第１経路は、第２経路がアクティブにされた場合にアクティブ解除にされる。第２経路は、第２電力増幅器と、当該第２増幅器の出力に結合された第２整合ネットワークと、当該第２整合ネットワークを介して当該第２電力増幅器と通信する第２選択スイッチとを含み得る。第２選択スイッチは、当該第２選択スイッチが非アクティブ状態の場合に第２定在波が進展することを防止するべく、当該第２選択スイッチが非アクティブ状態の場合に第２入力インピーダンスを有し得る。
【００１８】
本開示の他側面は、無線周波数（ＲＦ）信号を増幅するべく構成された増幅器と、当該増幅器の出力に結合された整合ネットワークと、当該整合ネットワークを介して当該増幅器と通信するマルチスロースイッチとを含む装置である。マルチスロースイッチは、選択されたスローに関連付けられたスイッチアーム及びシャントアームの双方が、非アクティブ状態においてオンとなるように構成される。
【００１９】
本開示の他側面は、第１送信経路及び第２送信経路を含む装置である。第１送信経路は、第１ＲＦ信号を与えるべく構成された第１電力増幅器と、第１整合ネットワークと、当該第１整合ネットワークを介して当該第１ＲＦ信号を受信するべく構成された第１マルチスロースイッチとを含む。第２送信経路は、第１ＲＦ信号とは異なる周波数帯域内の第２ＲＦ信号を与えるべく構成された第２電力増幅器と、第２整合ネットワークと、当該第２整合ネットワークを介して当該第２ＲＦ信号を入力において受信するべく構成された第２マルチスロースイッチとを含む。第２マルチスロースイッチは、当該マルチスロースイッチの入力及び接地電位間において入力シャントアームと直列のパッシブインピーダンス素子を有する。
【００２０】
パッシブインピーダンス素子は抵抗器を含み得る。シャントアームがオンの場合、パッシブインピーダンス素子及びシャントアームの結合インピーダンスは、第１ＲＦ信号の基本周波数において近似的に５０オームとなり得る。
【００２１】
入力シャントアームは、第２送信経路がアクティブ状態の場合にオンとなり得る。入力シャントアームは、第１送信経路がアクティブ状態の場合にオンとなり得る。
【００２２】
装置は、第１及び第２送信経路を封入するパッケージを含むモジュールとして構成することができる。かかるモジュールは、電力増幅器モジュール及び／又はマルチチップモジュールであり得る。装置は、第１及び第２送信経路並びにアンテナを含む携帯デバイスとして構成することができる。アンテナは、第１送信経路がアクティブ状態の場合に第１ＲＦ信号を送信するべく構成される。
【００２３】
本開示の他側面は、第１無線周波数（ＲＦ）信号経路及び第２ＲＦ信号経路を含む装置である。第１ＲＦ信号経路は、アクティブの場合に第１ＲＦ信号を与えるべく構成される。第２ＲＦ信号経路は、アクティブの場合に第２ＲＦ信号を与えるべく構成される。第２ＲＦ信号経路は選択スイッチを含み、当該選択スイッチは、その入力に電気的に結合された入力シャントアームを有する。入力シャントアームは、第１ＲＦ信号経路がアクティブかつ第２ＲＦ信号経路が非アクティブの場合にオンとなるべく構成される。
【００２４】
入力シャントアームは、選択スイッチの入力及び接地電位間においてパッシブインピーダンス素子と直列になり得る。パッシブインピーダンス素子は抵抗器を含み得る。第２ＲＦ信号経路は、当該第２ＲＦ信号経路がアクティブの場合に第２ＲＦ信号を発生させるべく構成された電力増幅器と、当該第２ＲＦ信号を選択スイッチに与えるべく構成された整合ネットワークとを含み得る。第１ＲＦ信号及び第２ＲＦ信号は異なる周波数帯域にあり得る。装置は、携帯デバイス用の電子コンポーネントとして構成することができる。
【００２５】
本開示の他側面は、無線周波数（ＲＦ）信号を増幅するべく構成された増幅器と、当該増幅器の出力に結合された整合ネットワークと、当該整合ネットワークを介して当該増幅器と通信するマルチスロースイッチとを含む装置である。マルチスロースイッチは、当該マルチスロースイッチの入力に電気的に結合された入力シャントアームを有する。入力シャントアームは、マルチスロースイッチが非アクティブ状態の場合にオンとなるべく構成される。
【００２６】
入力シャントアームは、マルチスロースイッチの入力及び接地電位間においてパッシブインピーダンス回路と直列になり得る。パッシブインピーダンス回路は抵抗器であり得る。パッシブインピーダンス素子は、入力シャントアームとマルチスロースイッチの入力との間において直列になり得る。
【００２７】
マルチスロースイッチは少なくとも４つのスローを含み得る。増幅器は電力増幅器であり得る。
【００２８】
装置はさらに、第２増幅器と、第２整合ネットワークを介して当該第２増幅器から第２ＲＦ信号を受信するべく構成された第２マルチスロースイッチとを含む他のＲＦ信号経路を含み得る。他のＲＦ信号経路は、当該整合ネットワークとの結合を与える。
【００２９】
本開示の他側面は、無線周波数（ＲＦ）信号を増幅するべく構成された増幅器と、当該増幅器の出力に結合された整合ネットワークと、当該整合ネットワークを介して当該増幅器と通信するマルチスロースイッチとを含む装置である。マルチスロースイッチは、当該マルチスロースイッチの入力にシャントキャパシタを有する。
【００３０】
本開示の他側面は、第１無線周波数（ＲＦ）信号を与えるべく構成された第１経路と、第２ＲＦ信号を与えるべく構成された第２経路とを含む装置である。第２ＲＦ信号は、第１ＲＦ信号とは異なる周波数帯域内にある。第２経路は、第１経路がアクティブ解除される場合にアクティブ解除されるべく構成される。第２経路は、出力へと第２ＲＦ信号を選択的に与えるべく構成された選択スイッチを含み得る。選択スイッチは、第２経路がアクティブ解除されかつ第１経路がアクティブにされる場合に定在波が進展することを防止するべく、当該第２経路がアクティブ解除される場合に入力インピーダンスを有する。
【００３１】
本開示の他側面は、無線周波数（ＲＦ）信号を増幅するべく構成された増幅器と、当該増幅器の出力に結合された整合ネットワークと、当該整合ネットワークを介して当該増幅器と通信する選択スイッチとを含む装置であって、当該整合ネットワークは少なくとも一つのキャパシタ及び少なくとも一つのインダクタを含む装置である。選択スイッチは、当該選択スイッチが非アクティブ状態の場合に整合ネットワークのＬＣ共振を低減するべく構成された入力負荷を有する。
【００３２】
本開示の他側面は、無線周波数（ＲＦ）信号を与えるべく構成された第１経路と、当該第１経路がアクティブの場合に非アクティブとなるべく構成された第２経路とを含む装置である。第２経路は、当該第２経路が非アクティブかつ第１経路がアクティブの場合に当該第１経路との結合に起因する当該第２経路における共振を防止するべく構成された負荷インピーダンスを有する整合ネットワークを含む。
【００３３】
本開示の他側面は、第１無線周波数（ＲＦ）信号を与えるべく構成された第１経路と、第２ＲＦ信号を与えるべく構成された第２経路とを含む装置である。第２経路は、当該第２経路及び第１経路の双方がアクティブの場合に当該第１経路からの結合に起因する当該第２経路における共振を防止するべく構成された負荷インピーダンスを有する整合ネットワークを含む。
【００３４】
整合ネットワークはＬＣネットワークであり得る。共振は、整合ネットワークのＬＣ共振であり得る。
【００３５】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成する必要なしに、達成又は最適化する態様で具体化又は実施をすることができる。
【図面の簡単な説明】
【００３６】
本開示の実施形態を、添付図面を参照しながら非制限的な例を介して以下に記載する。
【００３７】
【図１】複数の周波数帯域のための送信経路を有するフロントエンドアーキテクチャの模式的なブロック図である。
【図２Ａ】アクティブ帯域と定在波共振を有する非アクティブ帯域との模式図である。
【図２Ｂ】バンドローディングありの図２Ａのアクティブ通過帯域とバンドローディングなしの同じアクティブ通過帯域とに対する挿入損失曲線を例示するグラフである。
【図２Ｃ】一実施形態に係る、バンドローディングを低減することができる無線周波数（ＲＦ）信号経路の模式図である。
【図２Ｄ】一実施形態に係る、バンドローディングを低減することができる他のＲＦ信号経路の模式図である。
【図３】図３Ａは、一実施形態に係る、バンドローディングを低減することができる帯域選択スイッチによるアクティブ帯域及び非アクティブ帯域の模式図である。図３Ｂは、図３Ａの実施形態に係るアクティブ通過帯域とバンドローディングなしのアクティブ通過帯域とに対する挿入損失曲線を例示するグラフである。
【図４】図４Ａは、一実施形態に係る帯域選択スイッチの入力にシャントスイッチを有するアクティブ帯域及び非アクティブ帯域の模式図である。図４Ｂは、図４Ａの実施形態に係るアクティブ通過帯域とバンドローディングなしのアクティブ通過帯域とに対する挿入損失曲線を例示するグラフである。
【図５】図５Ａは、一実施形態に係る帯域選択スイッチの入力におけるシャントキャパシタによるアクティブ帯域及び非アクティブ帯域の模式図である。図５Ｂは、図５Ａの実施形態に係るアクティブ通過帯域とバンドローディングなしのアクティブ通過帯域とに対する挿入損失曲線を例示するグラフである。
【図６】図６Ａは、一実施形態に係る帯域選択スイッチの入力における、シャントスイッチがパッシブインピーダンス回路と直列のシャントによるアクティブ帯域及び非アクティブ帯域の模式図である。図６Ｂ〜６Ｇは、図６Ａの代表的なパッシブインピーダンス回路を例示する。
【図７】図３Ａ、４Ａ、５Ａ及び／又は６Ａの実施形態のいずれかに係る送信経路を含む代表的な電力増幅器モジュールの模式的なブロック図である。
【図８】図３Ａ、４Ａ、５Ａ及び／又は６Ａの実施形態のいずれかに係る送信経路を含む代表的な携帯デバイスの模式的なブロック図である。
【発明を実施するための形態】
【００３８】
一定の実施形態の以下の詳細な説明は、特定の実施形態の様々な説明を代表する。しかしながら、ここに記載の新機軸は、例えば特許請求の範囲に画定かつカバーされる多数の異なる態様で具体化することができる。本説明において図面が参照されるが、当該図面においては、同様の参照番号が同一の又は機能的に類似の要素を示し得る。理解されることだが、図面に例示される要素は、必ずしも縮尺どおりに描かれているわけではない。さらに理解されることだが、一定の実施形態が、図面に例示されるよりも多くの要素及び／又は図面に例示された要素の部分集合を含み得る。さらに、いくつかの実施形態は、２以上の図面からの特徴の、任意の適切な組み合わせを組み入れることができる。
【００３９】
ＬＴＥ（Ｌｏｎｇ  Ｔｅｒｍ  Ｅｖｏｌｕｔｉｏｎ）のような携帯通信規格の世界的な展開が、携帯デバイスに益々多くの周波数帯域にわたる通信をサポートさせたいとの要望をもたらしている。フロントエンドモジュールの限られた空間内においては、帯域間分離の実装が次第に難しくなっている。一定の電力増幅器（ＰＡ）フロントエンドモジュールにおいて、デュアルバンドブロック設計は、最小限のフットプリントによる比較的容易な引き回しを目的として適合されている。いくつかの周波数帯域にわたる通信をサポートする携帯デバイスのフロントエンドモジュールは、利用可能な物理的空間が限られかつ集積が比較的容易なので、いくつかのデュアルバンドブロックから構築することができる。
【００４０】
かかるデュアルバンドＰＡにおいて、一方の帯域がアクティブとなって、比較的高出力の信号を送信することができるが、他方の帯域は非アクティブ（例えばスイッチによるシャットオフ）となり得る。ここに使用されるように、「アクティブ帯域」は、アクティブ状態にあることにより画定周波数帯域内のＲＦ信号を与えるＲＦ信号経路の回路群を言及する。ここに使用されるように、「非アクティブ帯域」は、非アクティブ状態にあることによりＲＦ信号を与えないＲＦ信号経路の回路群を言及する。非アクティブ帯域は、２つの帯域間の結合に起因してアクティブ帯域からの信号を拾う可能性がある。かかる帯域間結合は、バンドローディングとも称する。バンドローディングは、デュアルバンドＰＡ設計のようなマルチバンドＰＡ設計において一つの問題となる。バンドローディングは、一以上の非アクティブ帯域が、アクティブ帯域の周波数に比較的密接して存在することを含み得る。これは、アクティブ通過帯域搾取のような、アクティブ通過帯域におけるエネルギー損失を引き起こす。例えば、非アクティブ帯域ＰＡ出力経路が定在波共振を形成し得る周波数において動作する場合、アクティブ帯域の、自明とはいえないエネルギーが非アクティブ帯域に結合され得る。これが、アクティブ帯域におけるエネルギー搾取をもたらし得る。それゆえバンドローディングは、アクティブ帯域の挿入損失に影響を与え得る。
【００４１】
例示目的の一例において、ＰＡ出力整合ネットワークは帯域選択スイッチに接続することができる。オフ状態とも称することができる非アクティブ状態のための帯域選択スイッチ入力インピーダンスは、この非アクティブ帯域ＰＡ出力経路に定在波が存在することを許容し得る高いインピーダンスを与えることがある。定在波は、形成されるとアクティブ帯域からエネルギーを搾取して当該アクティブ帯域にバンドローディングを引き起こし得る。
【００４２】
バンドローディングは、アクティブ帯域回路群と非アクティブ帯域回路群との間に比較的大きな物理的距離を維持することによって低減することができる。バンドローディングは、一帯域の回路群を他帯域の回路群から遮蔽することによっても低減することができる。かかるアプローチは余分な物理的空間を消費するのが典型的である。これは望ましくないことに、モジュールのサイズ及び／又はフットプリントを増加させ得る。この場合、増加したサイズ及び／又はフットプリントは、さらなる帯域用の回路群を一つの携帯デバイスに統合することを困難及び／又は実現不能とし得る。
【００４３】
本開示の側面は、バンドローディングを低減又はなくす非アクティブ帯域負荷インピーダンスを与える一方で他のＰＡ性能パラメータには有意な影響を与えないことに関する。負荷からの反射を低減するべく、非アクティブ帯域負荷側の非開放インピーダンスを与えることができる。これは、非アクティブ帯域における定在波の振幅を減衰させるので、アクティブ帯域における搾取を回避することができる。非開放インピーダンスは、様々な態様で達成することができる。例えば、オフ状態スイッチ入力インピーダンス専用スイッチロジック、非アクティブ帯域負荷における比較的小さなシャントキャパシタ、又はこれらの任意の組み合わせである。かかる非アクティブ帯域負荷インピーダンス制御は、広範な製品において使用することができる。
【００４４】
ここに説明される実施形態は、非アクティブ帯域経路のような非アクティブ経路における定在波を防止する（例えば低減し及び／又はなくす）ことができる選択スイッチ入力インピーダンスを与えることに関する。非アクティブ帯域ＰＡ出力負荷すなわち選択スイッチ入力インピーダンスが比較的整合がとれると、定在波は持続されずバンドローディングが解消するはずである。非アクティブ帯域のために選択スイッチ入力インピーダンスを修正するいくつかのアプローチがここに説明される。これらのアプローチでは、選択スイッチの入力に対してシャント経路を与えることができる。一実施形態において、選択スイッチの全オフのロジック状態は、一つのスイッチアームをオンのままとすることができる。スイッチ入力インピーダンスは、負荷インピーダンスが非アクティブ帯域ＰＡ出力経路において定在波を持続させることがないように、約１０オーム〜３０オームの範囲から選択された値のような一定値にすることができる。この実施形態に関する詳細を、図３Ａを参照して以下に述べる。いくつかの他の実施形態において、一つのシャントアームを選択スイッチ入力側に付加することができる。非アクティブの全オフ状態において、付加シャントアームがオンとなって選択スイッチ入力インピーダンスを、約１０オーム〜３０オームの範囲から選択された値のような非アクティブＰＡ出力経路に定在波を持続させない一定値に強制する。付加入力シャントアームは、抵抗器又はパッシブインピーダンス回路と直列に配列することができる。これらの実施形態に関する詳細は、図４Ａ及び６Ａを参照して説明される。他実施形態において、約２ｐＦ〜８ｐＦの範囲から選択されたキャパシタンスを有するシャントキャパシタのような比較的小さなシャントキャパシタを、選択スイッチの入力に含めることができる。付加シャントキャパシタは、定在波波長を変えて搾取Ｖ字カットをアクティブ通過帯域から外れるようにシフトさせる必要がある。この実施形態に関する詳細は、図５Ａを参照して説明される。
【００４５】
ここに説明される実施形態は有利なことに、異なる帯域に関連付けられた送信経路を物理的に離間させるか、又は異なる帯域に関連付けられた送信経路を互いから遮蔽する接地平面を使用する代わりに、非アクティブ帯域ＰＡ出力負荷インピーダンスを修正することができる。ここに説明される原理及び利点によりＰＡ出力オフ状態負荷インピーダンスを修正することは、コンパクトなＰＡモジュールに生じ得るバンドローディング問題を低減し及び／又はなくすことができる。
【００４６】
非アクティブ帯域において定在波共振のような共振を防止することが、例示目的の一定の実施形態に関連してここに説明されるが、ここに説明される原理及び利点が、アクティブ帯域経路のようなアクティブ経路からの結合を受け得る非アクティブ経路における任意の回路の共振を低減し又はなくすべく適用できることも理解される。非アクティブ経路のための整合ネットワークの負荷インピーダンスを修正することが、かかる共振を低減し及び／又はなくすことができる。
【００４７】
図１は、複数の周波数帯域のための送信経路を有するフロントエンドアーキテクチャ１０の模式的なブロック図である。これらの送信経路はＲＦ信号経路であり得る。例示のフロントエンドアーキテクチャは、第１送信経路１２、第２送信経路１４、スイッチモジュール１６及びアンテナ１８を含む。フロントエンドアーキテクチャ１０は、図１に例示のものよりも多くの要素を含み及び／又はいくつかの実施形態は、例示の要素の部分集合を含み得る。フロントエンドアーキテクチャ１０が２つの送信経路を参照して説明されるが、ここに説明される原理及び利点は、３以上の送信経路を有するフロントエンドアーキテクチャに適用できることが理解される。
【００４８】
第１送信経路１２及び第２送信経路１４は、異なる画定周波数帯域内の無線周波数（ＲＦ）信号を与えるべく構成することができる。ＲＦ信号は、ＬＴＥシステムの無線周波数信号用の約４５０ＭＨｚ〜約４ＧＨｚの範囲のような、約３０ｋＨｚ〜３００ＧＨｚの範囲の周波数を有し得る。異なる周波数帯域は、ＬＴＥ規格によって画定された周波数帯域であり得る。異なる周波数帯域は周波数非重複であり得る。例示目的の一例において、第１送信経路１２を高帯域経路としかつ第２送信経路１４を低帯域経路とすることができる。第１送信経路１２は、第１送信経路１２の画定周波数帯域の画定サブバンド内でＲＦ信号を発生させることができる。第２送信経路１４は、第２送信経路１４の画定周波数帯域の画定サブバンド内でＲＦ信号を発生させることができる。第１送信経路１２及び第２送信経路１４の一方は、他方が非アクティブとされる間にアクティブとすることができる。
【００４９】
スイッチモジュール１６は、第１送信経路１２又は第２送信経路１４からのＲＦ信号を、アンテナ１８へと選択的に電気的に結合することができる。スイッチモジュール１６は、第１送信経路１２又は第２送信経路１４の選択されたサブバンドからのＲＦ信号を、アンテナ１８へと選択的に与えることもできる。スイッチモジュール１６は、それぞれが電気経路における特定の周波数帯域をアンテナ１８へと通過させるべく構成された複数のフィルタを含み得る。かかるフィルタは帯域通過フィルタであり得る。スイッチモジュール１６は、選択された周波数帯域に関連付けられたフィルタが第１送信経路１２又は第２送信経路１４とアンテナ１８との間に含められた信号経路を作ることができる。スイッチモジュール１６は、選択された受信経路（例示せず）にアンテナ１８を電気的に結合する機能も果たす。かかる例では、送信フィルタ及び受信フィルタを有するデュプレクサをスイッチモジュール１６に含めることができる。
【００５０】
図２Ａは、アクティブ帯域と、定在波共振を有する非アクティブ帯域との模式図である。図２Ａは、非アクティブ帯域に対する送信経路２２と、アクティブ帯域に対する別個の送信経路２３とを例示する。これらの送信経路は双方ともＲＦ信号経路に含めることができる。理解されることだが、アクティブ帯域及び非アクティブ帯域は、送信経路２２及び２３を含む電子デバイスの動作中に切り替えることができる。非アクティブ帯域用の送信経路２２は、電力増幅器２４、整合ネットワーク２５及び帯域選択スイッチ２６を含む。非アクティブ帯域用の送信経路２２は、図１の第１送信経路１２及び図１のスイッチモジュール１６の一部に対応し得る。アクティブ帯域用の送信経路２３は、電力増幅器２７、整合ネットワーク２８及び帯域選択スイッチ２９を含み得る。電力増幅器２７は、電力増幅器２４が与えるＲＦ信号とは異なる周波数帯域内のＲＦ信号を与えることができる。加えて、整合ネットワーク２８は、整合ネットワーク２５とは異なる周波数のためのインピーダンス整合を与えることができる。したがって、整合ネットワーク２８の一以上のパッシブインピーダンス素子は、整合ネットワーク２５における対応パッシブインピーダンス素子とは異なるキャパシタンス又はインダクタンスを有し得る。いくつかの他の実施形態（例示せず）によれば、異なる帯域のための整合ネットワークは、異なる回路トポロジを有し及び／又は異なるフィルタリング機能を与えることができる。アクティブ帯域のための送信経路２４は、図１の第２送信経路１４及び図１のスイッチモジュール１６の一部に対応し得る。
【００５１】
図１に例示されるアクティブ帯域用の送信経路２３と非アクティブ帯域用の送信経路２２との間の結合は、アクティブ帯域がＲＦ信号を送信する間に非アクティブ帯域に定在波共振をもたらし得る。この定在共振は、バンドローディングをもたらすことによりアクティブ帯域用の送信経路２３に対する挿入損失を増加させ得る。
【００５２】
図２Ｂは、バンドローディングありのアクティブ通過帯域とバンドローディングなしの同じアクティブ通過帯域とに対する挿入損失曲線を例示するグラフである。図２Ｂにおいて第１曲線３０は、図２Ａに例示されるアクティブ帯域に対する送信経路２３の挿入損失を代表する。バンドローディングの結果、Ｖ字カット３１が第１曲線３０に存在する。Ｖ字カット３１は、例えば図２Ａに例示されるように、非アクティブ帯域の定在波共振に起因して生じ得る。定在波共振は、アクティブ帯域における搾取をもたらし得る。図２Ｂにおいて第２曲線３２は、バンドローディングなしのアクティブ通過帯域を代表する。第２曲線３２は、第１曲線３０と比べて所望の挿入損失特性を有する。
【００５３】
表面電流のプロットが示すのは、図２Ａに例示される定在波共振によれば、非アクティブ経路がエネルギーを消費し、図２Ａの第１曲線３０のＶ字カット３１が示す搾取としてアクティブ帯域において代表される有意な電流を持続させ得るということである。他の表面電流のプロットが示すのは、非アクティブ帯域の送信経路２２の帯域選択スイッチ２６の入力側における５０オーム負荷のような整合された負荷によれば、非アクティブ経路は、アクティブ帯域用の送信経路２３において有意な搾取を引き起こさない最小電流を示すということである。
【００５４】
図２Ａに例示されるバンドローディング問題は、非アクティブ帯域負荷インピーダンスを修正することによって防止することができる。例えば、非アクティブ帯域負荷インピーダンスは、図３Ａに例示されるようにオンとなる少なくとも一つのアームがスイッチに含まれる非アクティブスイッチロジック状態によって実装することができる。他例として、非アクティブ帯域負荷インピーダンスは、図４Ａ及び図６Ａに例示されるように非アクティブ状態にあるパッシブインピーダンス素子と直列の有限スイッチ入力インピーダンスであり得る。他例として、非アクティブ帯域負荷は、図５Ａに例示されるように、完全な開放負荷を回避するシャントリアクタンスによって実装することもできる。このように、非アクティブ負荷インピーダンスは、比較的小さなシャントリアクタンス、パッシブインピーダンス回路と直列になり得る選択された非アクティブ状態スイッチ入力インピーダンス、専用スイッチ非アクティブ状態、又はこれらの任意の組み合わせを含み得る。
【００５５】
図２Ｃは、一実施形態に係る、バンドローディングを低減することができるＲＦ信号経路の模式図である。例示のように、ＲＦ信号経路は、電力増幅器２４、整合ネットワーク２５及びマルチスロースイッチ３６を含み得る。例示のマルチスロースイッチ３６は、スイッチアームを有する多数のスローと各スローのためのシャントアームとを実装し得るスイッチ素子３７を含む。スイッチ素子３７は、任意の適切な数のスローを実装することができる。ＲＦ信号経路は、アクティブの場合にＲＦ信号を与えることができる。ＲＦ信号経路は、一以上の他のＲＦ信号経路に物理的に比較的密接して位置決めすることができる。
【００５６】
整合ネットワーク２５の負荷インピーダンスは、他の信号経路がアクティブの場合、物理的に比較的密接する他のＲＦ信号経路との結合に起因するＲＦ信号経路における共振を防止することができる。マルチスロースイッチ３６の入力インピーダンスＺは、整合ネットワーク２５における当該負荷インピーダンスに含めることができる。マルチスロースイッチ３６の入力インピーダンスＺが不在の場合、ＲＦ信号経路において、他のＲＦ信号経路との結合に起因する定在波共振が進展し得る。入力インピーダンスＺは、例えば図３Ａを参照して説明される原理及び利点に従ってスイッチ素子３７の状態を設定することによって実装することができる。いくつかの他の実装において、入力インピーダンスＺはシャントキャパシタによって実装することができる。一定の実装によれば、入力インピーダンスＺは、入力シャントアーム及びパッシブインピーダンス回路によって実装することができる。
【００５７】
図２Ｄは、一実施形態に係る、バンドローディングを低減することができるＲＦ信号経路の模式図である。図２ＤのＲＦ信号経路は、図２ＣのＲＦ信号経路の一例である。マルチスロースイッチ３６’は、マルチスロースイッチの入力インピーダンスを実装するパッシブインピーダンス回路６０と直列のシャントアーム４０を含む。シャントアーム４０は、ＲＦ信号経路が非アクティブの場合にオンとなり得る。したがって、ＲＦ信号経路が非アクティブの場合、パッシブインピーダンス回路６０は、入力シャントアーム４０を介して接地に電気的に接続することができる。入力シャントアーム４０は、ＲＦ信号経路がアクティブの場合にオフとなり得る。パッシブインピーダンス回路６０は、抵抗器、任意の他の適切なパッシブインピーダンス素子、又はパッシブインピーダンス素子の任意の他の適切な組み合わせであり得る。
【００５８】
非アクティブ帯域用の送信経路の実施形態は、図３Ａ、４Ａ、５Ａ及び６Ａに例示される。これらの実施形態において、図２Ａの送信経路２２が修正される。理解されることだが、一以上の他の送信経路もまた、図３Ａ、４Ａ、５Ａ及び／又は６Ａのいずれかを参照して説明される原理及び利点を実装することができる。例えば、一以上の他の送信経路は、アクティブ帯域用の送信経路を含み得る。いくつかの例において、一以上の他の送信経路は、例示の非アクティブ帯域が非アクティブである場合にやはり非アクティブとなる他の非アクティブ帯域用の送信経路も含み得る。さらに、図３Ａ、４Ａ、５Ａ及び６Ａの実施形態の特徴の任意の組み合わせを互いに組み合わせることもできる。動作中、異なる送信経路は選択的にアクティブにし又はアクティブ解除することができる。各送信経路は、アクティブ状態又は非アクティブ状態にあり得る。したがって、非アクティブとしてここに記載される送信経路は、他の時点においてはアクティブとなり得る。同様に、アクティブとしてここに記載される送信経路は、他の時点においては非アクティブとなり得る。
【００５９】
一定の実施形態が一つのアクティブ帯域及び一つのアクティブ帯域を参照して記載されるが、ここに説明される原理及び利点は、２以上の帯域を同時にアクティブにし得るキャリアアグリゲーションアプリケーションに対しても適用することができる。例えば、ここに説明される原理及び利点は、２つのアクティブ帯域経路が非アクティブ帯域経路のバンドローディングを引き起こす場合にも適用することができる。他例として、ここに説明される原理及び利点は、一のアクティブ帯域から他のアクティブ帯域への付加挿入損失を引き起こし得る２つのアクティブ帯域間のバンドローディングを防止することにも適用することができる。一のアクティブ帯域から他のアクティブ帯域へのバンドローディングを低減し及び／又はなくすべく、ここに説明される任意の適切な原理及び利点を、他のアクティブ帯域との結合に起因する一のアクティブ帯域の共振を防止することにも適用することができる。例えば、整合ネットワークの出力及び／又は帯域選択スイッチの入力におけるシャントキャパシタ及び／又は入力シャントアームは、アクティブな経路における当該共振を防止することができる。
【００６０】
図３Ａは、一実施形態に係る、バンドローディングを低減するべく構成された帯域選択スイッチによるアクティブ帯域及び非アクティブ帯域の模式図である。図３Ａの送信経路２２’は、図２Ａの送信経路２２の修正バージョンである。送信経路２２’は、電力増幅器２４、整合ネットワーク２５及び帯域選択スイッチ２６’を含む。図３Ａの送信経路２３’は、図２Ａの送信経路２３の修正バージョンである。送信経路２３’は、電力増幅器２７、整合ネットワーク２８及び帯域選択スイッチ２９’を含む。送信経路２２’及び２３’は互いに物理的に比較的密接し得るので、送信経路間に結合が生じ得る。ここに説明される送信経路のいずれかの実施形態は、例示よりも多くの素子及び／又は例示の素子の部分集合を含み得る。さらに、送信経路は、ここに開示の送信経路のいずれかの特徴の任意の適切な組み合わせも含み得る。
【００６１】
電力増幅器２４は、ＲＦ信号を増幅し、増幅されたＲＦ信号を与えるべく構成される。電力増幅器２４は任意の適切なＲＦ電力増幅器であり得る。例えば、電力増幅器２４は、単段電力増幅器、多段電力増幅器、一以上のバイポーラトランジスタにより実装された電力増幅器、又は一以上の電界効果トランジスタにより実装された電力増幅器の一以上であり得る。電力増幅器２４は、送信経路２２’が非アクティブの場合にアクティブ解除とすることができる。例えば、送信経路２２’が非アクティブの場合、電力増幅器２４へと与えられるバイアスにより電力増幅器２４をアクティブ解除とすることができる。
【００６２】
整合ネットワーク２５は、信号反射及び／又は他の信号歪みを低減する補助となり得る。整合ネットワーク２５は一以上のキャパシタ及び一以上のインダクタを含み得る。整合ネットワーク２５は、シャントキャパシタ、シャントインダクタ、シャント直列ＬＣ回路、電力増幅器２４及び帯域選択スイッチ２６’間の信号経路における並列ＬＣ回路、信号経路におけるキャパシタ、又は信号経路におけるインダクタの多くを含み得る。整合ネットワーク２５の円弧によって例示されるように、整合ネットワーク２５の一以上のインダクタは、ボンドワイヤによって実装することができる。整合ネットワーク２５が例示目的で設けられるが、ここに説明される原理及び利点が、任意の他の適切な整合ネットワークに関連して実装できることも理解される。
【００６３】
帯域選択スイッチ２６’は、整合ネットワーク２５を介して電力増幅器２４へと結合される。整合ネットワーク２５の出力は、帯域選択スイッチ２６’の入力へと与えることができる。アクティブ状態において、帯域選択スイッチ２６’は、当該入力において受信されたＲＦ信号を、選択された出力へと電気的に結合することができる。帯域選択スイッチ２６’の異なる出力は、異なる画定周波数帯域に関連付けることができる。例えば、帯域選択スイッチ２６’の２つの異なる出力を、送信経路２２’の画定周波数帯域の２つの異なる画定サブバンドに関連付けることができる。帯域選択スイッチ２６’の異なる出力は、異なる画定サブバンドに関連付けられた異なる送信経路に電気的に結合することができる。異なる送信経路はそれぞれ、各画定サブバンド内での送信のためにＲＦ信号を処理するフィルタ及び／又は他の回路群を含み得る。
【００６４】
ここに開示の帯域選択スイッチ２６’及び他の例示の帯域選択スイッチのいずれかは、シリコン・オン・インシュレータ技術のような、半導体・オン・インシュレータ技術において実装することができる。例示の帯域選択スイッチ２６’はマルチスロースイッチである。帯域選択スイッチ２６’が例示目的の単極マルチスロースイッチとして示されるが、ここに説明される原理及び利点は、多極マルチスロースイッチを含むＲＦ信号経路に適用できることが理解される。
【００６５】
帯域選択スイッチ２６’の各スローは、スイッチアームと、当該スイッチアームに電気的に結合されたシャントアームとを含む。スイッチアームは、スイッチアームがオンの場合に整合ネットワーク２５から受信した入力信号を帯域選択スイッチ２６’の出力に与えることができる。スイッチアームは例示されるように、電界効果トランジスタによって実装することができる。スイッチアームは、図３Ａに例示の制御信号Ａ、Ｂ、Ｃ又はＤの一つのような当該スイッチアーム用の制御信号に基づいてオン及びオフにすることができる。図３Ａに例示されるように、制御信号は、スイッチアームを実装する電界効果トランジスタのゲートに与えることができる。シャントアームは、当該シャントアームがオンの場合に接地への経路を与えることができる。シャントアームは例示されるように、電界効果トランジスタによって実装することができる。シャントアームは、図３Ａに例示のシャント制御信号ＳＡ、ＳＢ、ＳＣ又はＳＤの一つのような当該シャントアーム用のシャント制御信号に基づいてオン及びオフにすることができる。図３Ａに例示されるように、シャント制御信号は、シャントアームを実装する電界効果トランジスタのゲートに与えることができる。シャントアームは、特に帯域選択スイッチ２６’がシリコン・オン・インシュレータ技術で実装されている場合、帯域選択スイッチ２６’において適切な帯域間分離を与えることができる。
【００６６】
帯域選択スイッチ２６’はその入力を、選択された出力へと、当該選択された出力に関連付けられたスイッチアームをオンにしかつ当該選択された出力に関連付けられたシャントアームをオフにすることにより、電気的に結合することができる。当該入力が当該選択された出力に電気的に結合されている間、帯域選択スイッチ２６’の他のスイッチアームをオフにしかつ帯域選択スイッチ２６’の他の対応シャントアームをオンにすることができる。これにより、帯域選択スイッチ２６’の入力を、選択されていない出力から電気的に分離することができる。
【００６７】
帯域選択スイッチ２９’は、帯域選択スイッチ２６’を参照して説明される特徴のいずれも実装することができる。帯域選択スイッチ２９’はアクティブ状態にあるように示されるが、非アクティブ状態において帯域選択スイッチ２９’は、帯域選択スイッチ２６’の例示の状態と類似の状態で動作することができる。スイッチ制御回路３５は、送信経路２２’のスイッチ制御回路３４と同様に動作することができる。
【００６８】
図２Ａ、３Ａ、４Ａ、５Ａ及び６Ａに例示の帯域選択スイッチは、各スローに対して直列の電界効果トランジスタ及びシャント電界効果トランジスタを含むが、いくつかの他の実施形態において帯域選択スイッチは、当該スローのいくつか又はすべてに対し、シャント電界効果トランジスタなしで直列の電界効果トランジスタを含み得ることが理解される。
【００６９】
送信経路２２’の電力増幅器２４は、帯域選択スイッチ２６’を非アクティブ状態に設定することにより、図１のアンテナ１８のようなアンテナから電気的に結合解除され得る。非アクティブ状態は、オフ状態としても言及し得る。帯域選択スイッチ２６’の非アクティブ状態において、帯域選択スイッチ２６’は、整合ネットワーク２５の出力を帯域選択スイッチ２６’の出力すべてから電気的に分離する。
【００７０】
図３Ａに示される実施形態では、帯域選択スイッチ２６’の非アクティブ状態において、スイッチアームの一つはオンでありかつ残りのスイッチアームはオフである。オンであるスイッチアームに関連付けられたシャントアームもまた、非アクティブ状態にある。一つのスイッチアームをオンにしかつ関連シャントアームをオンにすることにより、整合ネットワーク２５の負荷側にインピーダンスを与えることができる。これにより、当該負荷からの反射が低減されるので、非アクティブ送信経路２２’における任意の定在波振幅が減衰される。したがって、アクティブの場合の送信経路２３’におけるバンドローディングを低減し及び／又はなくすことができる。いくつかの他の実施形態（図３Ａには図示せず）において、２以上のスイッチアーム及びその対応シャントアームをオンにすることにより、整合ネットワーク２５の負荷側に、アクティブ帯域との結合に起因する共振を防止するインピーダンスを与えることができる。
【００７１】
スイッチ制御回路３４は、制御信号Ａ、Ｂ、Ｃ、Ｄ、ＳＡ、ＳＢ、ＳＣ及びＳＤを帯域選択スイッチ２６’に与えることができる。スイッチ制御回路３４は、制御信号を与えることによって帯域選択スイッチ２６’の状態を制御することができる。制御信号は、送信経路２２’が非アクティブの場合に帯域選択スイッチ２６’の状態を非アクティブ状態に設定することができる。制御信号は、送信経路２２がアクティブの場合に帯域選択スイッチ２６’の状態を、帯域選択スイッチ２６’の入力が帯域選択スイッチ２６’の選択された出力に与えられるアクティブ状態に設定することができる。スイッチ制御回路３４は任意の適切な回路群によって実装することができる。
【００７２】
図３Ｂは、図３Ａの実施形態に係るアクティブ通過帯域とバンドローディングなしのアクティブ通過帯域とに対する挿入損失曲線を例示するグラフである。曲線３８は図３Ａの実施形態に関連付けられ、曲線３９はバンドローディングがないアクティブ帯域に関連付けられる。図３Ｂの曲線３８及び３９に示されるように、図３Ａの実施形態は、バンドローディングを防止するべく良好に作用する。
【００７３】
図４Ａは、一実施形態に係る帯域選択スイッチの入力にシャントスイッチアームを有するアクティブ帯域及び非アクティブ帯域の模式図である。図４Ａに例示の送信経路２２’’は、電力増幅器２４と、図３Ａを参照して説明された特徴の任意の組み合わせを実装することができる整合ネットワーク２５とを含む。図４Ａの送信経路２２’’は、図３Ａの送信経路２２’とは異なる帯域選択スイッチを含む。加えて、図３Ａのスイッチ制御回路３４と比べ、図４Ａのスイッチ制御回路３４’は、帯域選択スイッチ２６’’が非アクティブ状態の場合、帯域選択スイッチ２６’’へと付加制御信号を与え及び／又は異なる値のいくつかの信号を与えることができる。
【００７４】
送信経路２３’’は、送信経路２２’’の特徴の任意の組み合わせを実装することができる。送信経路２３’’は、送信経路２２’’が非アクティブ状態の間、アクティブ状態となり得る。送信経路２２’’及び２３’’は互いに物理的に比較的密接し得るので、送信経路間に結合が生じ得る。
【００７５】
図４Ａの帯域選択スイッチ２６’’は、帯域選択スイッチ２６’’の入力に入力シャントアーム４０を含む。入力シャントアーム４０は、送信経路２２’’が非アクティブの場合にオンに、送信経路２３’’がアクティブの場合にオフになり得る。入力シャントアーム４０は、オンの場合にシャント経路を与えることができる。入力シャントアーム４０及び抵抗器４２を、帯域選択スイッチ２６’’の入力及び接地間において直列とすることができる。入力シャントアーム４０がオンの場合、入力シャントアーム４０及び抵抗器４２は一緒になって、近似的に５０オームのような所望の整合インピーダンスを与えることができる。一例として、抵抗器４２は約４４オームの抵抗を有し得る。その結果、シャントアーム４０がオンの場合、抵抗器４２及びシャントアーム４０の直列抵抗は約５０オームとなる。
【００７６】
入力シャントアーム４０は図４Ａに例示されるように、電界効果トランジスタによって実装することができる。電界効果トランジスタは、例示されるようにＮ型トランジスタであり得る。電界効果トランジスタのソースが接地に接続され、当該電界効果トランジスタのドレインが帯域選択スイッチ２６’’の入力に接続され、及び、電界効果トランジスタのゲートがオフ状態制御信号ＳＯＦＦを受信することができる。図４Ａのスイッチ制御回路３４’は、送信経路２２’’が非アクティブの場合に入力シャントアーム４０をオンとしかつ送信経路２２’’がアクティブの場合に入力シャントアーム４０をオフとするように、オフ状態制御信号ＳＯＦＦを制御することができる。代替的に、図４Ａのスイッチ制御回路３４’は、送信経路２３’’がアクティブの場合に入力シャントアーム４０をオンとしかつ送信経路２３’’が非アクティブの場合に入力シャントアームをオフとするように、送信経路２２’’の入力シャントアーム４０を制御することができる。
【００７７】
帯域選択スイッチ２６’’の入力シャントアーム４０は、整合ネットワーク２５の負荷側にインピーダンスを与えることができる。これにより、当該負荷からの反射が低減されるので、非アクティブ送信経路２２’’における任意の定在波振幅が減衰される。したがって、アクティブ送信経路２３’’におけるバンドローディングを低減し及び／又はなくすことができる。
【００７８】
帯域選択スイッチ２９’’は、抵抗器４２’と直列の入力シャントアーム４０’を含む。帯域選択スイッチ２９’’はアクティブ状態にあるように示されるが、非アクティブ状態において帯域選択スイッチ２９’’は、帯域選択スイッチ２６’’の例示の状態と類似の状態で動作することができる。したがって、帯域選択スイッチ２９’’は、送信経路２３’’における望ましくない共振を防止するべく、帯域選択スイッチ２６’’を参照して説明される特徴のいずれも実装することができる。これにより、アクティブ状態の場合の送信経路２２’’におけるバンドローディング（例示せず）を低減し及び／又はなくすことができる。
【００７９】
図４Ｂは、図４Ａの実施形態に係るアクティブ通過帯域とバンドローディングなしのアクティブ通過帯域とに対する挿入損失曲線を例示するグラフである。曲線４１は図４Ａの実施形態に関連付けられ、曲線４２はバンドローディングがないアクティブ帯域に関連付けられる。図４Ｂの曲線４１及び４２により示されるように、図４Ａの実施形態は、バンドローディングを防止するべく良好に作用する。
【００８０】
図５Ａは、一実施形態に係る帯域選択スイッチの入力におけるシャントキャパシタによるアクティブ帯域及び非アクティブ帯域の模式図である。図５Ａに例示の送信経路２２’’’は、電力増幅器２４と、図３Ａ及び／又は４Ａを参照して説明された特徴の任意の組み合わせを実装することができる整合ネットワーク２５とを含む。図５Ａの送信経路２２’’’は、図３Ａの送信経路２２’及び図４Ａの送信経路２２’’とは異なる帯域選択スイッチを含む。
【００８１】
送信経路２３’’’は、送信経路２２’’’の特徴の任意の組み合わせを実装することができる送信経路２３’’’は、送信経路２２’’’が非アクティブ状態の間、アクティブ状態となり得る。送信経路２２’’’及び２３’’’は互いに物理的に比較的密接し得るので、送信経路間に結合が生じ得る。
【００８２】
図５Ａの帯域選択スイッチ２６’’’は、帯域選択スイッチ２６’’’の入力にシャントキャパシタ５０を含む。シャントキャパシタ５０は、別個に実装されていても帯域選択スイッチ２６’’’の一部とみなすことができる。シャントキャパシタ５０は、数ピコファラッド（ｐＦ）のオーダーのキャパシタンスのような比較的小さなキャパシタンスを有し得る。シャントキャパシタ５０のキャパシタンスは、シャントキャパシタ５０のインピーダンスが、アクティブ帯域の周波数において選択されたインピーダンスに整合するように選択することができる。例示目的の一例において、シャントキャパシタは、一定のアプリケーションにおいて５０オームインピーダンスを整合させるべく、約２ｐＦ〜３ｐＦの範囲のキャパシタンスを有し得る。シャントキャパシタ５０は、非アクティブ経路２２’’’における定在波共振を防止することができる。
【００８３】
例示のように、送信経路２３’’’の帯域選択スイッチ２９’’’は、シャントキャパシタ５０と同じ又は類似の機能を与えることができるシャントキャパシタ５０’を含む。シャントキャパシタ５０及び５０’は、一定のアプリケーションにおいて近似的に同じキャパシタンスを有し得る。他のアプリケーションにおいて、シャントキャパシタ５０及び５０’は異なるキャパシタンスを有し得る。
【００８４】
スイッチ制御回路３４’’及び３５’’はそれぞれ、他のスイッチ制御回路３４及び３５と同じ又は類似の機能を与えることができる。
【００８５】
図５Ｂは、図５Ａの実施形態に係るアクティブ通過帯域とバンドローディングなしのアクティブ通過帯域とに対する挿入損失曲線を例示するグラフである。曲線５１は図５Ａの実施形態に関連付けられ、曲線５２はバンドローディングなしのアクティブ帯域に関連付けられる。図５Ｂの曲線５１及び５２に示されるように、図５Ａの実施形態は、バンドローディングを防止するべく良好に作用する。図５Ｂの曲線５１は、約０．６０ＧＨｚ及び０．６５ＧＨｚ間の挿入損失曲線にＶ字カットを有する。このＶ字カットは、シャントキャパシタがアクティブ帯域の信号経路に存在することによってもたらされ得る。
【００８６】
図６Ａは、一実施形態に係る帯域選択スイッチの入力にシャントスイッチアームを有するアクティブ帯域及び非アクティブ帯域の模式図である。図６Ａに例示の送信経路２２’’’’は図４Ａの送信経路２２’’と類似するが、抵抗器４２の代わりにパッシブインピーダンス回路６０が示されている点が異なる。したがって、任意の適切なパッシブインピーダンス回路は、アクティブ帯域との結合に起因する非アクティブ帯域における定在波共振を防止する（例えば低減し又はなくす）インピーダンスを与えるべく、帯域選択スイッチの入力シャントアーム４０と直列に実装することができる。
【００８７】
パッシブインピーダンス回路６０は、任意の適切なパッシブインピーダンス素子（複数可）によって実装することができる。図４Ａの抵抗器４２は、適切なパッシブインピーダンス回路６０の一例である。図６Ｂ〜６Ｇは、図６Ａのパッシブインピーダンス回路６０の他例を例示する。図６Ｂに示されるように、キャパシタがパッシブインピーダンス回路６０’’を実装し得る。他例として、図６Ｃに示されるように、インダクタがパッシブインピーダンス回路６０’’’を実装し得る。適切なパッシブインピーダンス回路は、例えば図６Ｄ〜６Ｇに例示のように、パッシブインピーダンス素子の直列及び／又は並列の組み合わせを含み得る。図６Ｄに示されるように、直列ＬＣ回路がパッシブインピーダンス回路６０’’’’を実装し得る。図６Ｅに示されるように、並列ＬＣ回路がパッシブインピーダンス回路６０’’’’’を実装し得る。図６Ｆは、直列ＲＬＣパッシブインピーダンス回路６０’’’’’’を示す。さらなる一例として、図６Ｇに示されるように、並列ＬＣ回路と直列の抵抗器がパッシブインピーダンス回路６０’’’’’’’を実装し得る。
【００８８】
図６Ａに戻ると、送信経路２３’’’’は、送信経路２２’’’’の特徴の任意の組み合わせを実装することができる。送信経路２３’’’’は、送信経路２２’’’’が非アクティブ状態の間、アクティブ状態となり得る。送信経路  ２２’’’’及び２３’’’’は互いに物理的に比較的密接し得るので、送信経路間に結合が生じ得る。
【００８９】
図６Ａの帯域選択スイッチ２６’’’は図４Ａの帯域選択スイッチ２６’’と類似するが、抵抗器４２の代わりにパッシブインピーダンス回路６０が示されている点が異なる。図６Ａの帯域選択スイッチ２９’’’は図４Ａの帯域選択スイッチ２９’’と類似するが、抵抗器４２’の代わりにパッシブインピーダンス回路６０’が示されている点が異なる。送信経路２３’’’のパッシブインピーダンス回路６０’は、パッシブインピーダンス回路６０と同じ又は類似の機能を与えることができる。パッシブインピーダンス回路６０及び６０’は、一定のアプリケーションにおいて同じ回路トポロジを有し得る。他のアプリケーションにおいて、パッシブインピーダンス回路６０及び６０’は異なる回路トポロジを有し得る。
【００９０】
スイッチ制御回路３４’’’及び３５’’’はそれぞれ、他のスイッチ制御回路３４’及び３５’と同じ又は類似の機能を与えることができる。
【００９１】
図３Ａ、４Ａ、５Ａ及び６Ａは、非アクティブ送信経路の出力整合ネットワークのＬＣ共振及び／又は定在波共振を低減することができる帯域選択スイッチの入力における負荷の例を例示するが、他の適切な負荷も、キャパシタ及びインダクタを含む整合ネットワークからの定在波共振を防止するべく与え得ることも理解される。
【００９２】
図７は、図３Ａ、４Ａ、５Ａ及び／又は６Ａを参照して説明される実施形態のいずれかのような、ここに説明される実施形態のいずれかに係る送信経路を含む代表的な電力増幅器モジュール７０の模式的なブロック図である。例示の電力増幅器モジュール７０は、電力増幅器ダイ７２、整合ネットワーク７４及びスイッチダイ７６を含む。電力増幅器モジュール７０は、電力増幅器ダイ７２、整合ネットワーク７４及びスイッチダイ７６を封入するパケージを含むパッケージモジュールであり得る。電力増幅器ダイ７２、整合ネットワーク７４及びスイッチダイ７６は、共通基板に搭載及び／又は実装することができる。共通基板は、積層基板又は他の適切なパッケージング基板であり得る。いくつかの他の実施形態（図７には図示せず）において、電力増幅器及び帯域選択スイッチは単一のダイに実装することができる。
【００９３】
電力増幅器ダイ７２は、電力増幅器２４及び／又は２７のような、ここに説明される電力増幅器のいずれかを含み得る。電力増幅器ダイ７２は一定の実装において、ガリウムヒ素（ＧａＡｓ）ダイ、ＣＭＯＳダイ又はシリコンゲルマニウム（ＳｉＧｅ）ダイであり得る。電力増幅器ダイ７２は、ヘテロ接合バイポーラトランジスタのような一以上のバイポーラ電力増幅器トランジスタ及び／又は一以上の電界効果バイポーラトランジスタを含み得る。
【００９４】
整合ネットワーク７４は、整合ネットワーク２５及び／又は２８のような、ここに説明される整合ネットワークの回路素子のいくつか又はすべてを含み得る。整合ネットワーク７４は、一以上の表面搭載キャパシタ、一以上の表面搭載インダクタ、らせん状トレースにより及び／若しくはパッケージング基板において実装される一以上のインダクタ、別個のダイ若しくはプリント回路基板に実装される一以上のキャパシタ、別個のダイ若しくはプリント回路基板に実装される一以上のインダクタ、一以上のボンドワイヤ等、又はこれらの任意の組み合わせを含み得る。一例として、整合ネットワーク７４は、集積パッシブデバイス（ＩＰＤ）ダイ、表面搭載キャパシタ、基板に実装されるらせん状インダクタ、及びインダクタを実装するボンドワイヤを含み得る。一実施形態において（図７に図示せず）、一以上のキャパシタのような整合ネットワークの一部を電力増幅器ダイ７２に実装することができる。
【００９５】
スイッチダイ７６は、図３Ａ、４Ａ、５Ａ及び／又は６Ａの帯域選択スイッチのような、ここに説明される帯域選択スイッチの一以上を含み得る。スイッチダイ７６は、図３Ａ及び／又は４Ａを参照して説明されるスイッチ選択ロジックのようなスイッチ選択ロジックを含み得る。スイッチダイ７６は、電力増幅器ダイ７２とは異なる処理技術によって製造することができる。一定の実装において、スイッチダイ７６は、ＣＭＯＳダイ又はシリコン・オン・インシュレータのような半導体・オン・インシュレータ（ＳＯＩ）ダイであり得る。
【００９６】
図７は例示目的の電力増幅器モジュールに関連するが、ここに説明される実施形態のいずれかに係る送信経路は、様々なモジュールに実装することができる。例えば、ここに説明される原理及び利点のいずれも、マルチチップモジュール及び／又はフロントエンドモジュールに実装することができる。かかるモジュールは、同じパッケージ内に第１送信経路として封入された付加回路及び／又はダイ（複数可）を含み得る。モジュールは、スマートフォンのような携帯デバイス用のコンポーネントであり得る。
【００９７】
図８は、一以上の電力増幅器と一のアンテナスイッチモジュールとを含み得る無線又は携帯デバイス８１の一例の模式的なブロック図である。無線デバイス８１は、本開示の特徴の一以上を実装する一以上の送信経路８５を有し得る。例えば、無線デバイス８１の送信経路８５は、図１、３Ａ、４Ａ、５Ａ又は図６Ａのいずれかについて説明される原理及び利点のいずれかに係る送信経路を含み得る。他例として、ここに説明される帯域選択スイッチ及び／又は選択スイッチのいずれも、図８のスイッチモジュール１６に含めることができる。同様に、図８のスイッチモジュール１６及びアンテナ１８はそれぞれ、図１のスイッチモジュール１６及びアンテナ１８に対応し得る。ここに説明される整合ネットワークのいずれかのような付加素子は、図８の電力増幅器８７の任意の出力及びスイッチモジュール１６間に設けることができる。
【００９８】
図８に描かれる代表的な無線デバイス８１は、マルチバンド／マルチモード携帯電話のようなマルチバンド及び／又はマルチモードデバイスを代表し得る。例えば、無線デバイス８１は、ＬＴＥ（Ｌｏｎｇ  Ｔｅｒｍ  Ｅｖｏｌｕｔｉｏｎ）に従って通信をすることができる。この例において、無線デバイスは、ＬＴＥ規格によって画定された一以上の周波数帯域において動作するべく構成することができる。無線デバイス８１は代替的に又は付加的に、Ｗｉ−Ｆｉ規格、３Ｇ規格、４Ｇ規格又はアドバンストＬＴＥ規格の一以上を含むがこれらに限られない一以上の他の通信規格に従って通信するべく構成することができる。本開示の送信経路は、例えば前述の代表的な通信規格の任意の組み合わせを実装する携帯デバイス内に実装することができる。
【００９９】
例示のように、無線デバイス８１は、スイッチモジュール１６、送受信器８３、アンテナ１８、電力増幅器８７、整合ネットワーク２５及び２８、制御コンポーネント８８、コンピュータ可読記憶媒体８９、プロセッサ９０並びに電池９１を含み得る。
【０１００】
送受信器８３は、アンテナ１８を介して送信されるＲＦ信号を発生させることができる。さらに、送受信器８３は、アンテナ１８から入来するＲＦ信号を受信することができる。理解されることだが、図８において送受信器８３として集合的に代表される一以上のコンポーネントにより、ＲＦ信号の送受信に関連付けられた様々な機能を達成することができる。例えば、単一のコンポーネントを、送信機能及び受信機能の双方を与えるべく構成することができる。他例において、送信機能及び受信機能は、別個のコンポーネントによって与えることができる。
【０１０１】
図８において、送受信器８３からの一以上の出力信号は、一以上の送信経路８５を介してアンテナ１８へと与えられるように描かれる。図示の例において、異なる送信経路８５は、異なる帯域（例えば高帯域及び低帯域）及び／又は異なる電力出力に関連付けられた出力経路を代表し得る。例えば、図示される２つの異なる経路は、図１、３Ａ、４Ａ、５Ａ及び／又は６Ａを参照して説明されるフロントエンドアーキテクチャのいずれかの異なる送信経路の２つを代表し得る。送信経路８５は、異なる送信モードに関連付けることができる。例示の送信経路８５の一つは、例えば上述のように、他の送信経路８５の一以上が非アクティブの間、アクティブとなり得る。代替的に、２以上の送信経路８５は、キャリアアグリゲーションアプリケーションにおいてアクティブとなり得る。他の送信経路８５は、異なる電力モード（例えば．高電力モード及び低電力モード）に関連付けること、及び／又は異なる送信周波数帯域に関連付けられた経路に関連付けることができる。送信経路８５は、送信に適した比較的低出力から高出力を有するＲＦ信号をブーストする補助となる一以上の電力増幅器８７を含み得る。例示のように、電力増幅器８７は、上述の電力増幅器２４及び２７を含み得る。図８は２つの送信経路８５を使用する構成を例示するが、無線デバイス８１は、２を超える送信経路８５を含むべく適合することもできる。
【０１０２】
図８において、アンテナ１８からの一以上の検出信号は、一以上の受信経路８６を介して送受信器８３へと与えられるように描かれる。図示の例において、異なる受信経路８６は、異なる信号モード及び／又は異なる受信周波数帯域に関連付けられた経路を代表し得る。図８は４つの受信経路８６を使用する構成を例示するが、無線デバイス８１は、これよりも多い又は少ない受信経路８６を含むべく適合することができる。
【０１０３】
受信及び／又は送信経路間の切り替えを容易にするべく、アンテナスイッチモジュール１６を含めることができる。アンテナスイッチモジュール１６は、選択された送信又は受信経路にアンテナ１８を選択的に電気的に接続するべく使用することができる。すなわち、アンテナスイッチモジュール１６は、無線デバイス８１の動作に関連付けられた一定数の切り替え機能を与えることができる。アンテナスイッチモジュール１６は、例えば異なる帯域間の切り替え、異なるモード間の切り替え、送信及び受信モード間の切り替え、又はこれらの任意の組み合わせに関連付けられた機能を与えるべく構成されたマルチスロースイッチを含み得る。スイッチモジュール１６は、ここに説明される帯域選択スイッチのいずれかを含み得る。
【０１０４】
図８は、一定の実施形態において、アンテナスイッチモジュール１６及び／又は他の動作コンポーネント（複数可）の動作に関連付けられた様々な制御機能を目的として、制御コンポーネント８８を設けることができる。例えば、制御コンポーネント８８は、特定の送信又は受信経路を選択するべくアンテナスイッチモジュール１６に制御信号を与えることを補助することができる。
【０１０５】
一定の実施形態においてプロセッサ９０は、無線デバイス８１における様々なプロセスの実装を容易にするべく構成することができる。プロセッサ９０は例えば、汎用プロセッサ又は専用プロセッサであり得る。一定の実装において、無線デバイス８１は、メモリのような非一時的コンピュータ可読媒体８９を含み得る。これは、プロセッサ９０へと与えられてプロセッサ９０により実行され得るコンピュータプログラム命令を記憶することができる。
【０１０６】
電池９１は、無線デバイス８１において使用される、例えばリチウムイオン電池を含む任意の適切な電池としてよい。
【０１０７】
上述の実施形態のいくつかが、電力増幅器及び／又は携帯デバイスに関連する例を与えている。しかしながら、実施形態の原理及び利点は、ここに記載の回路のいずれかから利益がもたらされ得る、任意のアップリンクセルラーデバイスのような任意の他のシステム又は装置に対しても使用することができる。ここでの教示は、例えばマルチバンド及び／又はマルチモード電力増幅器システムを含む多重電力増幅器を有するシステムを含む様々な電力増幅器システムに適用可能である。ここに説明される電力増幅器トランジスタは、例えばガリウムヒ素（ＧａＡｓ）、ＣＭＯＳ又はシリコンゲルマニウム（ＳｉＧｅ）トランジスタであり得る。ここに説明される電力増幅器は、ヘテロ接合バイポーラトランジスタのような電界効果トランジスタ及び／又はバイポーラトランジスタによって実装することができる。
【０１０８】
本開示の側面は、様々な電子デバイスにおいて実装することができる。電子デバイスの例には、家庭用電気製品、家庭用電気製品の部品、電子試験機器、基地局のようなセルラー通信インフラストラクチャ等が含まれ得るがこれらに限られない。電子デバイスの例には、スマートフォンのような携帯電話、電話、テレビ、コンピュータモニタ、コンピュータ、モデム、ハンドヘルドコンピュータ、ラップトップコンピュータ、タブレットコンピュータ、スマートウォッチのようなウエアラブルコンピューティングデバイス、パーソナルデジタルアシスタント（ＰＤＡ）、電子レンジ、冷蔵庫、自動車用電子システムのような車両用電子システム、ステレオシステム、ＤＶＤプレーヤ、ＣＤプレーヤ、ＭＰ３プレーヤのようなデジタル音楽プレーヤ、ラジオ、ビデオカメラ、カメラ、デジタルカメラ、ポータブルメモリチップ、洗濯機、乾燥機、洗濯／乾燥機、コピー機、ファクシミリ機、スキャナ、多機能周辺機器、腕時計、時計等が含まれ得るがこれらに限られない。さらに、電子デバイスには未完成の製品も含まれ得る。
【０１０９】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。同様に、ここで一般に使用される用語「接続」も、直接接続されるか又は一以上の中間要素を介して接続されるかのいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用した、上述の一定の実施形態の詳細な説明における用語はそれぞれ、複数又は単数をも含み得る。文脈が許容する場合、２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【０１１０】
さらに、ここに使用される条件的言語、とりわけ、「できる」、「し得る」、「してよい」、「かもしれない」、「例えば」、「のような」等は、特に明示されない限り、又は、使用される文脈内でそうでないと理解されない限り、一定の実施形態が一定の特徴、要素及び／又は状態を含むが他の実施形態は含まないことを伝えることが一般に意図される。このように、かかる条件的言語は一般に、特徴、要素及び／若しくは状態が一以上の実施形態にとって多少なりとも必要とされることを示唆すること、又は、作者の入力若しくは促しのあり若しくはなしで、一以上の実施形態が、これらの特徴、要素及び／若しくは状態が任意の特定の実施形態に含まれ若しくは任意の特定の実施形態において行われるか否かを決定する論理を必ず含むことを示唆することを意図しない。
【０１１１】
本発明の一定の実施形態が記載されたが、これらの実施形態は、例のみとして提示されており、本開示の範囲を制限することを意図しない。実際、ここに記載の新規な装置、方法及びシステムは、様々な他の形態で具体化することができる。さらに、ここに記載の方法及びシステムの形態における様々な省略、置換及び変更が、本開示の要旨から逸脱することなくなし得る。例えば、ブロックが所与の配列で提示されるが、代替実施形態は、異なるコンポーネント及び／又は回路トポロジで類似の機能を行うことができ、いくつかのブロックは削除、移動、追加、細分化、結合、及び／又は修正することができる。これらのブロックはそれぞれが、様々な異なる態様で実装することができる。上述の様々な実施形態の要素及び行為は、さらなる実施形態を与えるべく組み合わせることができる。添付の特許請求の範囲及びその均等物が、本開示の範囲及び要旨に収まるかかる形態又は修正をカバーすることが意図される。
【図１】
2016063539.tif 000003
【図２Ａ】
2016063539.tif 000004
【図２Ｂ】
2016063539.tif 000005
【図２Ｃ】
2016063539.tif 000006
【図２Ｄ】
2016063539.tif 000007
【図３】
2016063539.tif 000008
【図４】
2016063539.tif 000009
【図５】
2016063539.tif 000010
【図６】
2016063539.tif 000011
【図７】
2016063539.tif 000012
【図８】
2016063539.tif 000013
【外国語明細書】
2016063539000001.pdf